(57)【要約】【課題】回路構成が簡単で、かつ直流出力オフセット検出のために用いるトランジスタのベース・エミッタ間の逆電圧が高くなるという問題から開放されるＢＴＬ接続増幅器の直流出力オフセット検出回路を提供する。【解決手段】ＢＴＬ接続増幅器Ｄの出力端１とグランドとの間に直列接続した抵抗４と抵抗５を接続し、出力端２とグランドとの間に直列接続した抵抗６と抵抗７とを接続し、抵抗４と抵抗５との接続点Ａと抵抗６と抵抗７との接続点Ｂとをコンデンサ８で接続し、トランジスタ９のエミッタを接続点Ａに、ベースを接続点Ｂに接続し、トランジスタ１０のエミッタを接続点Ｂに、ベースを接続点Ａに接続し、両トランジスタ９、１０のコレクタを共通接続し、該接続点Ｃを抵抗１１を通してグランドして、抵抗１１の電圧降下を直流オフセット検出出力とする。【選択図】        図１
2004247808.tif 000002
【特許請求の範囲】
【請求項１】
ＢＴＬ接続増幅器の直流出力オフセット検出回路であって、
ＢＴＬ接続増幅器の一方の出力端を、直列接続した第１および第２の抵抗を介してグランドし、
ＢＴＬ接続増幅器の他方の出力端を、直列接続した第３および第４の抵抗を介してグランドし、
第１の抵抗と第２の抵抗との接続点と、第３の抵抗と第４の抵抗との接続点とをコンデンサで接続し、
第１のトランジスタのエミッタをコンデンサの一方の端子に接続し、第１のトランジスタのベースをコンデンサの他方の端子に接続し、
第２のトランジスタのエミッタをコンデンサの他方の端子に接続し、第２のトランジスタのベースをコンデンサの一方の端子に接続し、
第１のトランジスタのコレクタと第２のトランジスタのコレクタを共通接続して該接続点を、第５の抵抗を通してグランドし、
第５の抵抗の電圧降下を直流オフセット検出出力とすることを特徴とするＢＴＬ接続増幅器の直流出力オフセット検出回路。
【発明の詳細な説明】
【０００１】
【発明の属する技術分野】
本発明はＢＴＬ（Ｂａｌａｎｃｅｄ  Ｔｒａｎｓｆｏｒｍｅｒ  Ｌｅｓｓ）接続増幅器の直流出力オフセットを検出するＢＴＬ接続増幅器の直流出力オフセット検出回路に関する。
【０００２】
【従来の技術】
ＢＴＬ接続増幅器におけるバイアスずれ等に起因する大電流からスピーカ等を保護するために、ＢＴＬ接続増幅器の直流出力オフセットを検出する直流出力オフセット検出回路が知られている。
【０００３】
ＢＴＬ接続増幅器における従来の直流出力オフセット検出は、例えば、ＢＴＬ接続増幅器の２つの出力端子間に並列接続のＣＲ回路により各別にバイアスされたトランジスタを挿入してオーディオ可聴周波数帯よりも低い５Ｈｚ以下程度の緩やかなバイアスずれを検出することが知られている。これによれば電源もグランドも必要ない簡単な構成でバイアスずれの検出が行える。（例えば、特許文献参照）。
【０００４】
【特許文献】
特開平９−１１６３５３号公報（第２頁、第１図）。
【０００５】
【発明が解決しようとする課題】
しかしながら上記したＢＴＬ接続増幅器の従来の直流出力オフセット検出回路では、直流出力オフセット検出のためにコンデンサが２個必要となる他に、２個のコンデンサにおける静電容量の相対誤差により検出に誤りが生ずるという問題点があった。さらに直流出力オフセット検出のために用いるトランジスタのベース・エミッタ間に定格を超える逆バイアスが加わることが想定されるという問題点もあった。その上この直流出力オフセット検出回路によるときは、ＢＴＬ接続増幅器がオフ状態のとき、スピーカが接続されていないときには直流出力オフセットを検出することができないという問題点があった。
【０００６】
本発明は、直流出力オフセット検出のための回路構成が簡単で済むほか、直流出力オフセット検出のために用いるトランジスタのベース・エミッタ間の逆電圧が高くなるという問題から開放されるＢＴＬ接続増幅器の直流出力オフセット検出回路を提供することを目的とする。
【０００７】
【課題を解決するための手段】
本発明のＢＴＬ接続増幅器の直流出力オフセット検出回路は、ＢＴＬ接続増幅器の直流出力オフセット検出回路であって、
ＢＴＬ接続増幅器の一方の出力端を、直列接続した第１および第２の抵抗を介してグランドし、
ＢＴＬ接続増幅器の他方の出力端を、直列接続した第３および第４の抵抗を介してグランドし、
第１の抵抗と第２の抵抗との接続点と、第３の抵抗と第４の抵抗との接続点とをコンデンサで接続し、
第１のトランジスタのエミッタをコンデンサの一方の端子に接続し、第１のトランジスタのベースをコンデンサの他方の端子に接続し、
第２のトランジスタのエミッタをコンデンサの他方の端子に接続し、第２のトランジスタのベースをコンデンサの一方の端子に接続し、
第１のトランジスタのコレクタと第２のトランジスタのコレクタを共通接続して該接続点を、第５の抵抗を通してグランドし、
第５の抵抗の電圧降下を直流オフセット検出出力とすることを特徴とする。
【０００８】
本発明のＢＴＬ接続増幅器の直流出力オフセット検出回路によれば、コンデンサの一方の端子と他方の端子との間の電位差によって第１のトランジスタが動作状態に駆動されて、この駆動に基づく第５の抵抗の電圧降下によって直流オフセットが検出され、コンデンサの他方の端子と一方の端子との間の電位差によって第２のトランジスタが動作状態に駆動されて、この駆動に基づく第５の抵抗の電圧降下によって直流オフセットが検出される。
【０００９】
上記のように、本発明のＢＴＬ接続増幅器の直流出力オフセット検出回路によれば、直流出力オフセット検出のためのコンデンサは１個で済み、部品点数は少なく、かつコンデンサ間における静電容量の相対誤差による誤検出はなくなる。
【００１０】
さらに、本発明のＢＴＬ接続増幅器の直流出力オフセット検出回路によれば、第１のトランジスタのベースは第２のトランジスタのエミッタに接続され、第１のトランジスタのエミッタは第２のトランジスタのベースに接続されているため、相互にベース・エミッタ間は相手側のトランジスタのＶＢＥでクランプされて、ベース・エミッタ間の逆電圧が高くなるという問題から開放される。
【００１１】
また、本発明のＢＴＬ接続増幅器の直流出力オフセット検出回路によれば、スピーカ接続前にＢＴＬ接続増幅器の一方の出力に電源を接続してしまったような場合も検出可能であって、この検出出力によりＢＴＬ接続増幅器の起動を停止させたりすることができる。
【００１２】
【発明の実施の形態】
以下、本発明にかかるＢＴＬ接続増幅器の直流出力オフセット検出回路を実施の一形態によって説明する。
【００１３】
図１は本発明の実施の一形態にかかるＢＴＬ接続増幅器の直流出力オフセット検出回路の構成を示す回路図である。
【００１４】
本発明の実施の一形態にかかるＢＴＬ接続増幅器の直流出力オフセット検出回路２０では、ＢＴＬ接続増幅器Ｄの一方の出力端１は抵抗４と抵抗５の直列回路を通してグランドに接続して、出力端１の電圧を抵抗分圧し、ＢＴＬ接続増幅器Ｄの他方の出力端２は抵抗６と抵抗７の直列回路を通してグランドに接続して、出力端２の電圧を抵抗分圧する。抵抗４と抵抗５との接続点Ａと、抵抗６と抵抗７との接続点Ｂとの間にはコンデンサ８が接続してある。コンデンサ８は無極性のコンデンサであり、音声信号を阻止するために設けたものである。符号３はＢＴＬ接続増幅器Ｄによって駆動されるスピーカを示している。
【００１５】
ＢＴＬ接続増幅器の直流出力オフセット検出回路２０では、接続点Ａにトランジスタ９のエミッタを接続し、かつ接続点Ｂにトランジスタ９のベースを接続し、接続点Ｂにトランジスタ１０のエミッタを接続し、かつ接続点Ａにトランジスタ１０のベースを接続し、トランジスタ９のコレクタおよびトランジスタ１０のコレクタを共通接続し、この両コレクタの接続点Ｃとグランドとの間に抵抗１１を接続して、接続点Ａと接続点Ｂとの間の電位差に基づいてトランジスタ９とトランジスタ１０を駆動し、接続点ＣからＢＴＬ接続増幅器Ｄの直流出力オフセットの検出出力を得る。
【００１６】
ここで、抵抗４と抵抗６とは同一の抵抗値の抵抗、例えば５６ｋΩの抵抗に設定し、抵抗５と抵抗７とは同一の抵抗値の抵抗、例えば３３０ｋΩの抵抗に設定して、出力端１の電圧の分圧比と出力端２の電圧の分圧比とは等しくしてある。
【００１７】
ＢＴＬ接続増幅器の直流出力オフセット検出回路２０において、ＢＴＬ接続増幅器Ｄの出力端１と出力端２とから出力される正相、逆相の出力振幅の中点は、正常時には同一電位である。いま何らかの要因で正相の出力振幅と逆相の出力振幅の間に直流オフセットが生ずると、接続点Ａと接続点Ｂとの間の直流電圧は、上記直流オフセット分だけ開くことになる。
【００１８】
接続点Ａと接続点Ｂとの間におけるオフセット直流電圧が、トランジスタ９を動作状態に駆動するＶＢＥより大きいときは、トランジスタ９が動作状態に駆動され、接続点Ａと接続点Ｂとの間におけるオフセット直流電圧がトランジスタ１０を動作状態に駆動するＶＢＥより大きいときは、トランジスタ１０が動作状態に駆動されて、コレクタ端子Ｃには電位が生じ、直流出力オフセットが生じていることを示す。
【００１９】
ここで、ＢＴＬ接続増幅器の直流出力オフセット検出回路２０において、抵抗がＢＴＬ接続増幅器Ｄの出力端間だけでなく、対グランドにも接続されていることにより、ＢＴＬ接続増幅器Ｄが作動していないときには、対グランドの電圧を検出する動作となる。
【００２０】
ＢＴＬ接続増幅器Ｄが動作しているときにおけるＢＴＬ接続増幅器の直流出力オフセット検出回路２０において、出力端１の出力が増加方向へずれ、出力端２の出力が減少方向へずれているとき、トランジスタ９は動作状態に駆動され、電流の流れは図２において破線で模式的に示す如くであって、トランジスタ９にベース電流が流れ、これによりトランジスタ９のコレクタ電流が流れて接続点Ｃに電圧が発生して、直流出力オフセットの発生が検出される。
【００２１】
このとき、トランジスタ１０のベース・エミッタ間は逆電圧＝トランジスタ９のＶＢＥでクランプされる。したがってトランジスタ１０のベース・エミッタ間の逆電圧が高くなるという問題から開放される。
【００２２】
ＢＴＬ接続増幅器Ｄが動作しているときにおけるＢＴＬ接続増幅器の直流出力オフセット検出回路２０において、上記と逆に出力端２の出力が増加方向へずれ、出力端１の出力が減少方向へずれているとき、トランジスタ１０は動作状態に駆動され、トランジスタ１０にベース電流が流れ、これによりトランジスタ１０のコレクタ電流が流れて接続点Ｃに電圧が発生して、直流出力オフセットの発生が検出される。
【００２３】
この場合は、トランジスタ９のベース・エミッタ間は逆電圧＝トランジスタ１０のＶＢＥでクランプされる。したがってトランジスタ９のベース・エミッタ間の逆電圧が高くなるという問題から開放される。
【００２４】
ＢＴＬ接続増幅器の直流出力オフセット検出回路２０の直流出力オフセット検出例を具体的に、図３の測定波形によって説明する。図３は、ＢＴＬ増幅器Ｄの出力振幅が定格出力のほぼ１／２程度の場合を例示している。
【００２５】
図３において、接続点Ａの電圧波形を図３においてＡ点電圧との表示で示し、接続点Ｂの電圧波形を図３においてＢ点電圧との表示で示しており、α、β、γ、δで示した部分において直流オフセットが生じている。
【００２６】
この場合に、接続点Ｃの電圧波形は図３においてＣ点電圧との表示によって示すように、直流オフセットの発生が検出されている（凹み部がこれに当たる）。ＢＴＬ接続増幅器Ｄの出力波形は、図３において出力との表示で示している。
【００２７】
また、ＢＴＬ接続増幅器Ｄの出力振幅が大きく、ＢＴＬ接続増幅器Ｄの出力がクリップ直前の場合も、クリップが１０％程度の場合も同様に検出され、出力振幅の大小にかかわらず、直流出力オフセットが検出できた。
【００２８】
次に、ＢＴＬ接続増幅器Ｄが停止状態で、かつスピーカ３が接続されていない場合において図４に示すように出力端１に電源１２を誤接続したときは、ＢＴＬ接続増幅器の直流出力オフセット検出回路２０において、ＢＴＬ接続増幅器Ｄに電流は流れ込まず、トランジスタ９は動作状態に駆動される。この場合、電流の流れは図４において破線で模式的に示すようであって、トランジスタ９にベース電流が流れ、これによりトランジスタ９のコレクタ電流が流れて接続点Ｃに電圧が発生して、直流出力オフセットの発生が検出される。
【００２９】
このとき、トランジスタ１０のベース・エミッタ間は逆電圧＝トランジスタ９のＶＢＥでクランプされる。したがってトランジスタ１０のベース・エミッタ間の逆電圧が高くなるという問題から開放される。
【００３０】
ＢＴＬ接続増幅器Ｄが停止状態で、かつスピーカ３が接続されていない場合に出力端２に電源を誤接続したときは、トランジスタ９、１０の動作は、出力端１に電源を誤接続した場合と逆になる。
【００３１】
以上説明したように、ＢＴＬ接続増幅器Ｄの直流出力オフセット検出回路２０によれば、直流出力オフセット検出のためのコンデンサは１個で済み、部品点数は少なく回路構成は簡単であり、かつコンデンサ間における静電容量の相対誤差による誤検出はなくなる。さらに、トランジスタ９のベースはトランジスタ１０のエミッタに接続され、トランジスタ９のエミッタはトランジスタ１０のベースに接続されているために、相互にベース・エミッタ間の逆電圧がＶＢＥでクランプされて、逆電圧が高くなるという問題から開放されて、信頼性が向上する。また、スピーカ３の接続前にＢＴＬ接続増幅器Ｄの一方の出力端に電源を接続してしまったことも検出可能であって、この検出出力によりＢＴＬ接続増幅器Ｄの起動を停止させたりすることができる。
【００３２】
次に、上記したＢＴＬ接続増幅器Ｄの直流出力オフセット検出回路２０が複数設けられたときは、図５に示すように、ＢＴＬ接続増幅器Ｄの直流出力オフセット検出回路１３〜１６それぞれの出力端Ｃ１乃至Ｃ４をワイヤードＯＲ接続することで多チャンネルに対応でき、この場合に抵抗１１は１つの抵抗１７でよい。
【００３３】
【発明の効果】
以上説明したように本発明にかかるＢＴＬ接続増幅器の直流出力オフセット検出回路によれば、コンデンサが１つで済むなど、直流出力オフセット検出のための回路構成が簡単で済むほか、直流出力オフセット検出のために用いるトランジスタのベース・エミッタ間の逆電圧が高くなるという問題から開放されるという効果が得られる。
【図面の簡単な説明】
【図１】本発明の実施の一形態にかかるＢＴＬ接続増幅器の直流出力オフセット検出回路の構成を示す回路図である。
【図２】本発明の実施の一形態にかかるＢＴＬ接続増幅器の直流出力オフセット検出回路の作用説明に供する回路図である。
【図３】本発明の実施の一形態にかかるＢＴＬ接続増幅器の直流出力オフセット検出回路の作用説明に供する波形図である。
【図４】本発明の実施の一形態にかかるＢＴＬ接続増幅器の直流出力オフセット検出回路の作用説明に供する回路図である。
【図５】本発明の実施の一形態にかかるＢＴＬ接続増幅器の直流出力オフセット検出回路が複数の設けられたときの構成を示すブロック図である。
【符号の説明】
１および２  出力端
４〜７、１１  抵抗
８  コンデンサ
９および１０  トランジスタ
Ａ〜Ｃ  接続点
Ｄ  ＢＴＬ接続増幅器
【図１】
2004247808.tif 000003
【図２】
2004247808.tif 000004
【図３】
2004247808.tif 000005
【図４】
2004247808.tif 000006
【図５】
2004247808.tif 000007